(57)【要約】【課題】従来のソケット装置で生じる欠点を効果的に改善できるための吊り掛け型ソケット装置を提供すること。【解決手段】重り部と、重り部から離間して設置される吊り掛け部と、両端がそれぞれ重り部と吊り掛け部に接続される延伸部と、送風ユニットと、重り部に接続される電源線とを備える吊り掛け型ソケット装置。重り部のソケットユニットと送風ユニットが電源線に電気的に接続される。前記送風ユニットは、重り部、吊り掛け部、及び延伸部の中の一つに取り付け、外部気体を吊り掛け型ソケット装置に吸入して吊り掛け型ソケット装置の気流出口から吹き出すことができる。その中で、前記吊り掛け型ソケット装置は、重り部と吊り掛け部をそれぞれ板部材の下方と上方に置き、吊り掛け型ソケット装置の重力によって吊り掛け部を板部材に当接させ続けることにより、前記吊り掛け型ソケット装置を板部材に吊り掛けて静的バランス状態とすることができる。【選択図】図１４Ａ
2018073831.tif 000002
【特許請求の範囲】
【請求項１】
板部材に吊り掛けるための吊り掛け型ソケット装置であって、
ソケットユニットを含む重り部と、
前記重り部から離間して設置される吊り掛け部と、
両端がそれぞれ前記重り部と前記吊り掛け部に接続され、前記吊り掛け部と前記重り部と共に、気流通路、及び前記気流通路に連通される気流入口と気流出口が形成され、離れている前記吊り掛け部の末端との間には横方向距離が形成され、前記横方向距離に平行な幅を有し、前記幅が前記横方向距離より小さいか又は等しい延伸部と、
前記気流通路に連通される前記気流入口に対応して位置し、外部気体を前記延伸部に吸入して前記気流通路を通過して前記気流出口から吹き出すことができる送風ユニットと、
一端が前記重り部に接続され、他端が給電ソケットに分離可能に挿入して接続されるためのものであり、前記ソケットユニットと前記送風ユニットに電気的に接続される電源線と、
を備え、
前記重り部と前記吊り掛け部をそれぞれ前記板部材の下方と上方に置き、前記吊り掛け型ソケット装置の重力によって前記吊り掛け部を前記板部材に当接させ続けることにより、前記吊り掛け型ソケット装置を前記板部材に吊り掛けて静的バランス状態とすることができることを特徴とする、吊り掛け型ソケット装置。
【請求項２】
前記重り部は第１のハウジングを含み、前記ソケットユニットが前記第１のハウジング内に設置され、
前記吊り掛け部は第２のハウジングを含み、前記気流出口が前記第２のハウジングにあり、
前記延伸部は第３のハウジングを含み、前記気流入口が前記第３のハウジングにあり、前記ファンは前記第３のハウジングに埋設されて前記気流入口に隣接して設置され、前記第３のハウジングの両端がそれぞれ前記第１のハウジングと前記第２のハウジングに垂直に接続されることを特徴とする、請求項１に記載の吊り掛け型ソケット装置。
【請求項３】
前記第３のハウジングは、一端が前記第１のハウジングに一体的に接続され、他端が前記第２のハウジングに一体的に接続され、
前記第１のハウジング、前記第２のハウジング、及び前記第３のハウジングにより囲まれてＵ字状の吊り掛け口が形成され、
また、前記気流出口、前記気流入口、及び前記送風ユニットは前記Ｕ字状の吊り掛け口の外にあることを特徴とする、請求項２に記載の吊り掛け型ソケット装置。
【請求項４】
前記吊り掛け型ソケット装置において、
前記気流出口に位置されると共に、前記第２のハウジングに軸着されることにより、前記第２のハウジングに対して回転して、前記気流出口から吹き出される気体の流動方向を調整することができる気流ガイド羽根、をさらに備えることを特徴とする、請求項２に記載の吊り掛け型ソケット装置。
【請求項５】
前記吊り掛け型ソケット装置において、
前記気流通路に対応して設置されて、前記気流出口から吹き出される気体を、前記送風ユニットによって前記気流通路内に引き込まれる気体と異なるようにすることができる気体変性ユニット、をさらに備えることを特徴とする、請求項１〜４のいずれか１項に記載の吊り掛け型ソケット装置。
【請求項６】
前記気体変性ユニットは、エアろ過エレメント、芳香ユニット、冷却チップの少なくとも一つを含むことを特徴とする、請求項５に記載の吊り掛け型ソケット装置。
【請求項７】
重り部と、
前記重り部から離間して設置される吊り掛け部であって、前記重り部と前記吊り掛け部の少なくとも一方がソケットユニットを含む吊り掛け部と、
両端がそれぞれ前記重り部と前記吊り掛け部に接続され、前記重り部と前記吊り掛け部と共に、気流通路、及び前記気流通路に連通される気流出口が形成される延伸部と、
前記気流通路に設置され、外部気体を前記気流通路内に吸入して前記気流出口から吹き出すことができる送風ユニットと、
を備えることを特徴とする、吊り掛け型ソケット装置。
【請求項８】
前記延伸部と、前記延伸部から離れる前記吊り掛け部の末端との間には横方向距離が形成され、前記延伸部は前記横方向距離に平行な幅を有し、前記幅が前記横方向距離より小さいか又は等しいことを特徴とする、請求項７に記載の吊り掛け型ソケット装置。
【請求項９】
前記吊り掛け型ソケット装置において、
前記気流通路に対応して設置されると共に、前記気流出口から吹き出される気体を、前記送風ユニットによって前記気流通路内に引き込まれる気体と異なるようにすることができる気体変性ユニット、をさらに備えることを特徴とする、請求項７又は８に記載の吊り掛け型ソケット装置。
【請求項１０】
前記気体変性ユニットは、エアろ過エレメント、芳香ユニット、冷却チップの少なくとも一つを含むことを特徴とする、請求項９に記載の吊り掛け型ソケット装置。
【発明の詳細な説明】
【技術分野】
【０００１】
本発明は、ソケットに関し、特に吊り掛け型ソケット装置に関する。
【背景技術】
【０００２】
従来のソケット装置は近年、その構造が余り変化しないため、その機能も自然と制限されていた。例えば、従来のソケット装置をデスクまたはテーブルなどの環境に適用する場合、従来のソケット装置は電力を供給すること以外、他の追加機能を備えることはできない。
【０００３】
そして、本発明者は前記デメリットが改善できると考え、鋭意検討し、また学理を活用し、設計が合理的で、かつ前記デメリットを効果的に改善できる本発明をようやく提案した。
【発明の概要】
【発明が解決しようとする課題】
【０００４】
本発明の実施例は、従来のソケット装置で生じる欠点を効果的に改善できるための吊り掛け型ソケット装置を提供することにある。
【課題を解決するための手段】
【０００５】
本発明の実施例では、板部材に吊り掛けるための吊り掛け型ソケット装置が開示されている。前記吊り掛け型ソケット装置は、ソケットユニットを含む重り部と、前記重り部から離間して設置される吊り掛け部と、両端がそれぞれ前記重り部と前記吊り掛け部に接続される延伸部と、送風ユニットと、電源線とを備える。前記延伸部、前記吊り掛け部、及び前記重り部に、気流通路及び前記気流通路には、連通される気流入口と気流出口が形成されている。前記吊り掛け部の前記延伸部から離れる末端が前記延伸部に対して横方向距離が形成されて、前記延伸部は前記横方向距離に平行な幅を有する。前記幅が前記横方向距離より小さいか又は等しい。前記送風ユニットは、前記気流通路に連通される前記気流入口に対応して位置し、外部気体を前記延伸部に吸入して前記気流通路を通過して前記気流出口から吹き出すことができる。前記電源線は、一端が前記重り部に接続され、他端が給電ソケットに分離可能に挿入して接続されるためのものであり、前記ソケットユニットと前記送風ユニットに電気的に接続される。
【０００６】
前記吊り掛け型ソケット装置は、前記重り部と前記吊り掛け部をそれぞれ前記板部材の下方と上方に置き、前記吊り掛け型ソケット装置の重力によって前記吊り掛け部を前記板部材に当接させ続けることにより、前記吊り掛け型ソケット装置を前記板部材に吊り掛けて静的バランス状態とすることができる。
【０００７】
本発明の実施例では、重り部と、前記重り部から離間して設置されて前記重り部と前記吊り掛け部の少なくとも一方がソケットユニットを含む吊り掛け部と、両端がそれぞれ前記重り部と前記吊り掛け部に接続される延伸部と、送風ユニットとを備える吊り掛け型ソケット装置が開示されている。前記重り部、前記吊り掛け部、及び前記延伸部には、気流通路及び前記気流通路に連通される気流出口が形成される。前記送風ユニットは、前記気流通路に設置され、外部気体を前記気流通路内に吸入して前記気流出口から吹き出すことができる。
【発明の効果】
【０００８】
総じて言えば、本発明の実施例に開示されている吊り掛け型ソケット装置は、送風ユニットを取り付けることによってその内部空間（即ち気流通路）を効果的に利用し、これによって吊り掛け型ソケット装置の追加価値を向上させる。
【０００９】
本発明の特徴及び技術内容がより一層理解されるように、以下に本発明に関する詳細な説明と添付図面を参照するが、これらの説明と添付図面は本発明を説明するためのものに過ぎず、本発明の保護範囲を何ら限定するものではない。
【図面の簡単な説明】
【００１０】
【図１】本発明に係る吊り掛け型ソケット装置を板部材に吊り掛けて給電ソケットに電気的に接続する模式図である。
【図２】本発明に係る吊り掛け型ソケット装置の実施例１の斜視模式図である。
【図３】図２の平面模式図である。
【図４】図２の吊り掛け型ソケット装置を板部材に吊り掛ける模式図である。
【図５】本発明に係る吊り掛け型ソケット装置の実施例２の斜視模式図である。
【図６】図５の平面模式図である。
【図７】図５の吊り掛け型ソケット装置を板部材に吊り掛ける模式図である。
【図８】本発明に係る吊り掛け型ソケット装置の実施例３の斜視模式図である。
【図９】図８の平面模式図である。
【図１０】図８の重り部と延伸部が相対的に回転できる模式図である。
【図１１】図８の重り部と延伸部が相対的に伸縮できる模式図である。
【図１２】図８の吊り掛け型ソケット装置を板部材に吊り掛ける模式図である。
【図１３】本発明に係る吊り掛け型ソケット装置の実施例４の模式図である。
【図１４Ａ】図１３の模式図（１）である。
【図１４Ｂ】図１３の模式図（２）である。
【図１５】本発明に係る吊り掛け型ソケット装置の実施例５の模式図である。
【図１６】本発明に係る吊り掛け型ソケット装置の実施例６の模式図である。
【発明を実施するための形態】
【００１１】
図１乃至図１６に示すことを参照し、前記図１は本発明の模式図であり、前記図２乃至図１６は本発明の実施例１乃至６である。なお、各実施例の対応する図面に言及している関連する数と外形は、本発明の実施の態様を具体的に説明し、本発明を理解しやすくするためのものに過ぎず、本発明の保護範囲を限定するためのものではない。
【００１２】
図１に示すように、本発明では、板部材２００（例えば、デスク、テーブル、カウンター、又は他の板部材）に吊り掛けるための吊り掛け型ソケット装置１００が開示されているが、本発明はこれに制限されるものではない。前記吊り掛け型ソケット装置１００は、重り部１と、前記重り部１から離間して設置される吊り掛け部２と、前記重り部１と吊り掛け部２に接続される延伸部３と、前記重り部１に接続される電源線４とを含む。
【００１３】
その中で、本発明の延伸部３は、両端（図１の延伸部３の底端と頂端）でそれぞれ前記重り部１及び吊り掛け部２に接続され、前記延伸部３が重り部１及び吊り掛け部２に対する具体的な接続仕方は、様々な接続の態様を採用でき、例えば一体的に接続されてもよく、分離可能に接続されてもよく、摺動可能に接続されてもよく、又は回転可能に接続されてもよいが、本発明には制限しない。
【００１４】
また、前記重り部１は第１のソケットユニット１１を含み、前記吊り掛け部２は第２のソケットユニット２１を含む。即ち、重り部１、吊り掛け部２、及び延伸部３の重量割合を調整することによって、前記吊り掛け型ソケット装置１００を前記板部材２００に吊り掛けることに寄与できる。また、前記重り部１と延伸部３との間にも、サイズでの設計によって、吊り掛け型ソケット装置１００をさらに安定的に板部材２００に吊り掛けることができる。例えば、吊り掛け部２の前記延伸部３から離れる末端（例えば、図１の吊り掛け部２の右端）は、前記延伸部３に対して横方向距離Ｄを形成し、前記延伸部３は前記横方向距離Ｄに平行な幅Ｗを有し、前記幅Ｗは横方向距離Ｄより小さいか又は等しい。
【００１５】
前記電源線４は、一端が前記重り部１に接続され、他端が給電ソケット３００（例えば、一般用ソケット）に分離可能に挿入して接続されるためのものである。その中で、前記電源線４が前記第１のソケットユニット１１と第２のソケットユニット２１に電気的に接続され、これによって、電源線４を介して前記給電ソケット３００の電力を第１のソケットユニット１１と第２のソケットユニット２１に輸送する。また、前記電源線４と重り部１との接続仕方は、様々な接続の態様を採用でき、例えば固定的に接続されてもよく、分離可能に接続されてもよく、又は回転可能に接続されてもよいが、本発明には制限しない。
【００１６】
以上に示すように、本発明に係る吊り掛け型ソケット装置１００は、前記重り部１と吊り掛け部２をそれぞれ板部材２００の下方と上方に置き、前記吊り掛け型ソケット装置１００の重力によって吊り掛け部２を板部材２００（の頂面）に当接させ続けることにより、前記吊り掛け型ソケット装置１００を板部材２００に吊り掛けて静バランス状態とすることができる。これによって、本発明に係る吊り掛け型ソケット装置１００は、板部材２００に吊り掛ける仕方によって、吊り掛け部２における第２のソケットユニット２１及び重り部１における第１のソケットユニット１１で、板部材２００の上方と板部材２００の下方ともにソケットを使用する必要がある場合を同時に満たすことができる。
【００１７】
以上は、本発明に係る吊り掛け型ソケット装置１００の主な技術的特徴である。実際的に適用する場合、設計者は前記技術的特徴を合理的に使用して又は増減し、異なる実施の態様の吊り掛け型ソケット装置１００を完成できるため、本発明には吊り掛け型ソケット装置１００のすべての実施の態様を一つ一つ紹介することが困難である。そのため、以下では、前記技術的特徴を使用する一部の実施の態様を挙げて吊り掛け型ソケット装置１００を説明するが、本発明の保護範囲はこれに制限されるものではない。
【００１８】
［実施例１］
図２乃至図４を参照し、これは本発明の実施例１であり、本実施例を理解しやすくするために、前記共通した技術的特徴の記述を省略するとともに、以下のように本実施例の吊り掛け型ソケット装置１００の具体的な構造を説明する。
【００１９】
前記重り部１は第１のハウジング１２を含み、前記第１のソケットユニット１１が前記第１のハウジング１２内に設置される。即ち、本実施例において、前記第１のハウジング１２及びその内部に配置されているエレメントと構造は、合わせて重り部１と称することができる。その中で、前記第１のソケットユニット１１は少なくとも一つの交流電源ソケット１１１を含む。前記交流電源ソケット１１１のジャックは、重り部１の前記吊り掛け部２に対向していない面（例えば、図２の第１のハウジング１２の側面）に設置されるが、本発明はこれに制限されるものではない。
【００２０】
前記吊り掛け部２は第２のハウジング２２を含み、前記第２のソケットユニット２１が第２のハウジング２２内に設置される。即ち、本実施例において、前記第２のハウジング２２及びその内部に配置されているエレメントと構造は、合わせて吊り掛け部２と称することができる。その中で、前記第２のソケットユニット２１は少なくとも一つの直流電源ソケット２１１（例えば、ＵＳＢソケット）を含む。前記直流電源ソケット２１１のジャックは、吊り掛け部２の前記重り部１から離れる表面（例えば、図２の第２のハウジング２２の頂表面）に設置されるが、本発明はこれに制限されるものではない。
【００２１】
また、本実施例において、前記吊り掛け部２には更に、第２のソケットユニット２１及び／又は第１のソケットユニット１１へ給電するかどうかを制御するためのスイッチユニット２３が設置される。その中で、前記スイッチユニット２３が吊り掛け部２の前記重り部１から離れる表面（例えば、図２の第２のハウジング２２の頂表面）に設置され、これによって、ユーザーが操作・制御しやすくなるが、本発明はこれに制限されるものではない。
【００２２】
前記延伸部３は第３のハウジング３１を含む。第３のハウジング３１及びその内部に配置されているエレメントと構造は、合わせて延伸部３と称することができる。本実施例の延伸部３はいずれのソケットユニットを含まないが、本発明はこれに制限されるものではない。その中で、前記第３のハウジング３１は両端がそれぞれ第１のハウジング１２と第２のハウジング２２に垂直に接続される。更に説明すると、前記第３のハウジング３１は、一端（例えば、図３の第３のハウジング３１の底端）が前記第１のハウジング１２に一体的に接続され、他端（例えば、図３の第３のハウジングの頂端）が前記第２のハウジング２２に一体的に接続される。
【００２３】
更に詳細には、前記第１のハウジング１２の長さは、ほぼ前記第２のハウジング２２の長さに等しいため、第１のハウジング１２、第２のハウジング２２、及び第３のハウジング３１で共同して囲まれてＵ字状の吊り掛け口Ｏが形成される。また、前記第１のハウジング１２の幅Ｗ'は、ほぼ前記第２のハウジング２２の幅Ｗ''に等しく、前記第３のハウジングの幅Ｗは、前記第１のハウジング１２の幅Ｗ'より小さい。
【００２４】
また、第１のハウジング１２の前記第３のハウジング３１から離れる隅（例えば、図２の第１のハウジング１２の右下隅）に欠け口１２１が形成され、前記電源線４は回転可能に前記第１のハウジング１２の欠け口１２１を貫通して設置され、これによって、ユーザーは電源線４を回転して適切な位置にしやすくなる。
【００２５】
なお、本実施例で用いられる「第１」、「第２」、及び「第３」は、異なるエレメントを区別するためのものであるが、前後順序という意味を有しないため、本実施例のエレメントの名称における「第１」、「第２」、及び「第３」は省略してもよい。例えば、前記第１のソケットユニット１１と第２のソケットユニット２１は、ソケットユニットと称してもよい。
【００２６】
［実施例２］
図５乃至図７を参照し、これは本発明の実施例２であり、本実施例は前記実施例に類似しているため、同じ点は説明を省略するが、本実施例と前記実施例との主な相違点は以下の通りである。
【００２７】
本実施例の吊り掛け型ソケット装置１００は、前記第１のハウジング１２に可動的に設置される位置制限構造５を更に含み、前記位置制限構造５は、前記Ｕ字状の吊り掛け口Ｏ内にあり、そのトップが前記板部材２００に当接するためのものである。次に、本実施例の位置制限構造５の具体的な実施構造を以下のように説明するが、本発明の位置制限構造５はこれに制限されるものではない。
【００２８】
具体的には、本実施例の位置制限構造５は、ロッド状のトップ当接部材５１と、弾力部材５２（例えば、捩りバネ）とを含む。その中で、前記トップ当接部材５１は、一端（例えば、図６のトップ当接部材５１の底端）が弾力部材５２を介して前記第１のハウジング１２に設置（例えば、軸着）され、他端（例えば、図６のトップ当接部材５１の頂端）が第１のハウジング１２に対して縦方向距離Ｈを形成する。更に説明すると、前記トップ当接部材５１と前記第１のハウジング１２との距離は、底端から頂端への方向（例えば、図６の右から左への方向）に次第に増えているが、前記縦方向距離Ｈは、トップ当接部材５１と第１のハウジング１２との間の最も大きい距離である。
【００２９】
また、前記第１のハウジング１２の内表面（例えば、第１のハウジング１２の第２のハウジング２２に向かう面）に、凹んで前記Ｕ字状の吊り掛け口Ｏに連通される収容溝１２２が形成される。その中で、前記収容溝１２２は、前記位置制限構造５の収容に好適であり、このようにして、位置制限構造（のトップ当接部材５１）は押されて収容溝１２２へ移動し、又は完全に収容溝１２２内に収容することができる。
【００３０】
更に説明すると、前記トップ当接部材５１が板部材２００に押されて前記縦方向距離Ｈが小さくなる（即ち、図７のトップ当接部材５１の頂端が前記収容溝１２２へ移動する）と同時に、前記縦方向距離Ｈへ戻るようとする弾力を前記弾力部材５２に蓄え、これによって、トップ当接部材５１は前記弾力部材５２の弾力によって、しっかりと板部材２００に当接することができる。
【００３１】
［実施例３］
図８乃至図１２を参照し、これは本発明の実施例３であり、本実施例は前記実施例に類似しているため、同じ点は説明を省略するが、本実施例と前記実施例との主な相違点は以下の通りである。
【００３２】
本実施例の第１のハウジング１２は、長尺状に構成されて長さ方向Ｌが定義されている。前記長さ方向Ｌは横方向距離Ｄと幅Ｗに垂直している。また、前記第３のハウジング３１は、一端（例えば、図８及び図９の第３のハウジング３１の底端）が可動的に前記第１のハウジング１２に接続され、他端（例えば、図８及び図９の第３のハウジング３１の頂端）が前記第２のハウジング２２に一体的に接続される。その中で、前記第３のハウジング３１の一端が可動的に前記第１のハウジング１２に接続されることは、本実施例において、図１０に示すような回転接続でもよく、図１１に示すような伸縮接続でもよいが、ここでは制限しない。
【００３３】
更に詳細には、前記第１のソケットユニット１１は、長さ方向Ｌに沿って配列される複数の交流電源ソケット１１１を含む。前記重り部１は第１のハウジング１２の底部に、第１のソケットユニット１１及び／又は第２のソケットユニット２１へ給電するかどうかを制御するためのスイッチユニット１３が設けられるが、本実施例の吊り掛け部２にはスイッチユニットが設けられていない。また、前記電源線４は、重り部１の吊り掛け部２から離れる末端（例えば、図９の第１のハウジング１２の底縁）に接続される。
【００３４】
［実施例４］
図１３乃至図１４Ｂを参照し、これは本発明の実施例４であり、本実施例は前記実施例に類似しているため、同じ点は説明を省略するが、本実施例と前記実施例との主な相違点は以下の通りである。
【００３５】
本実施例の吊り掛け型ソケット装置１００は、前記重り部１と吊り掛け部２の少なくとも一方にソケットユニットが設置されてもよい。その中で、本実施例の図面には、前記重り部１がソケットユニット１１を含むこととして説明するが、本発明はこれに制限されるものではない。即ち、前記重り部１、吊り掛け部２、及び延伸部３の構造設計及びそれに組み合わせる部材は、設計者のニーズに応じて互いに交換して又は調整してもよいが、本発明はここでは制限しない。
【００３６】
前記重り部１、吊り掛け部２、及び延伸部３の内部に気流通路が形成され（図示せず）、即ち、前記第１のハウジング１２、第２のハウジング２２、及び第３のハウジング３１に気流通路が形成されるとともに、前記気流通路に連通される気流入口３１１と気流出口２２１が形成される。ただし、前記気流入口３１１と気流出口２２１は気流通路の両端に限定されるものではない。
【００３７】
その中で、前記気流通路は本実施例において、別に追加して設置されるエレメントで前記気流通路を形成することなく、前記第１のハウジング１２、第２のハウジング２２、及び第３のハウジング３１の内縁に囲まれる内部空間を意味するが、本発明はこれに制限されるものではない。即ち、本発明に記述されない他の実施例において、前記第１のハウジング１２、第２のハウジング２２、及び第３のハウジング３１内に、前記気流通路を形成するように、セパレータ又はチューブ状のエレメントが設けられてもよい。
【００３８】
また、本実施例において、前記気流入口３１１は延伸部３における第３のハウジング３１にあり、前記気流出口２２１は吊り掛け部２における第２のハウジング２２にあり、前記気流入口３１１と気流出口２２１はいずれも前記Ｕ字状の吊り掛け口Ｏの外に位置するが、本発明はこれに制限されるものではない。
【００３９】
図１３及び図１４Ａに示すように、前記吊り掛け型ソケット装置１００は更に、送風ユニット６と、気流ガイド羽根７と、気体変性ユニット８と、交流直流コンバーター９（ＡＣ／ＤＣ ｃｏｎｖｅｒｔｏｒ）とを含む。前記送風ユニット６と気体変性ユニット８は前記気流通路に設置される。その中で、前記送風ユニット６は、外部気体Ａ１を前記気流通路内に吸入して気流出口２２１から吹き出すことができる。前記気体変性ユニット８は、前記気流出口２２１から吹き出される気体Ａ２を、前記送風ユニット６によって気流通路内に引き込まれる気体Ａ１と異なるようにすることができる。本発明に記述されない他の実施例において、前記吊り掛け型ソケット装置１００は、気流ガイド羽根７及び気体変性ユニット８を省略してもよい。
【００４０】
また、本実施例の吊り掛け型ソケット装置１００には、電源線４、ソケットユニット１１、及び交流直流コンバーター９に電気的に接続され、吊り掛け型ソケット装置１００へ給電するかどうかを制御するための切り替えスイッチ１０（例えば、図１４Ｂ）が設けられてもよいが、本発明はこれに制限されるものではない。例えば、本発明に記述されない実施例において、前記電源線４の代わりに他のエレメント（例えば、プラグ端子）を使用する場合、前記吊り掛け型ソケット装置１００には、前記切り替えスイッチ１０が設けられなくてもよい。
【００４１】
更に詳細には、前記送風ユニット６は、ファンでもエアポンプでもよく、本発明には制限しない。前記送風ユニット６は、前記気流入口３１１に対応して位置し、前記Ｕ字状の吊り掛け口Ｏの外にある。前記送風ユニット６は本実施例において、前記第３のハウジング３１に埋設されて前記気流入口３１１に隣接して設置される（即ち、前記送風ユニット６の少なくとも一部が気流入口３１１を通して第３のハウジング３１の外に露出する）が、これに限定しない。即ち、本発明に記述されない他の実施例において、前記送風ユニット６は第３のハウジング３１において、気流入口３１１から離れて位置してもよい。
【００４２】
前記気流ガイド羽根７は前記第２のハウジング２２の気流出口２２１にあり、本実施例の気流ガイド羽根７は前記第２のハウジング２２に軸着され、これによって、気流ガイド羽根７は、前記気流出口２２１から吹き出される気体Ａ２の流動方向を調整するために、第２のハウジング２２に対して回転できる。
【００４３】
前記気体変性ユニット８は第２のハウジング２２に設置され、前記気流通路に対応して位置する。前記気体変性ユニット８は気流出口２２１から吹き出される気体Ａ２を、前記送風ユニット６によって延伸部３内に引き込まれる気体Ａ１と異なるようにすることができる。更に詳細には、前記気体変性ユニット８は、エアろ過エレメント（例えば、ネットフィルター、静電集塵モジュール、紫外線ランプモジュール、負イオン発生器モジュール、オゾン発生モジュールなど）であってもよい。
【００４４】
本実施例を理解しやすくするために、エアろ過エレメントをネットフィルター８１として以下のように説明するが、本発明はこれに限定されるものではない。その中で、前記ネットフィルター８１は、取り外し可能に前記気流入口３１１に取り付けるとともに、前記送風ユニット６を覆って、このようにして、前記ネットフィルター８１は、前記送風ユニット６によって気流通路に引き込まれる気体Ａ１をろ過し、気流出口２２１から吹き出される気体Ａ２をより一層清潔にすることができる。
【００４５】
なお、ネットフィルター８１をしっかりと前記第３のハウジング３１の気流入口３１１に埋設できるように、本実施例の気流入口３１１は、その外形が前記ネットフィルター８１の構造に対応していることが好ましい。その中で、前記ネットフィルター８１は、設計者のニーズに応じて具体的な材質を調整・変更してもよいが、本発明はここでは制限しない。
【００４６】
前記電源線４は、一端が前記重り部１に接続されるとともにソケットユニット１１と送風ユニット６に電気的に接続され、他端が給電ソケット３００（例えば、一般用ソケット）に分離可能に挿入して接続されるためのものである。これによって、前記給電ソケット３００の電力は、電源線４を介してソケットユニット１１と送風ユニット６に送電することができる。また、本発明に記述されない他の実施例において、前記吊り掛け型ソケット装置１００は、電源線４を省略してもよいし、電源線４の代わりに他のエレメント（例えば、プラグ端子）を使用してもよい。
【００４７】
前記延伸部３には、ユーザーによってトリガーするように、第３のハウジング３１に取り付けて部分的に第３のハウジング３１の外に露出するスイッチユニット３２（例えば、スイッチ、ｓｗｉｔｃｈ）が設けられてもよい。その中で、前記スイッチユニット３２は、前記電源線４と送風ユニット６に電気的に接続され、前記送風ユニット６のオンとオフを制御するためのものである。本発明に記述されない他の実施例において、前記スイッチユニット３２は、送風ユニット６に電気的に接続される前記交流直流コンバーター９と、電源線４との間（又は交流直流コンバーター９と切り替えスイッチ１０との間）に設置されてもよい。
【００４８】
また、前記交流直流コンバーター９を前記電源線４とスイッチユニット３２との間に設置することによって、電源線４からの交流電力を直流電力に変換し、そしてスイッチユニット３２を介して前記直流電力を送風ユニット６に輸送する。また、本発明に記述されない他の実施例において、前記ソケットユニット１１が直流ソケット及び対応する交流直流コンバーターを含む場合、前記スイッチユニット３２は前記直流ソケットと一緒に前記交流直流コンバーターを共用できる。言い換えれば、前記交流直流コンバーター９は、前記ソケットユニット１１の直流ソケットに電気的に接続されてもよい。
【００４９】
上記に示すように、前記吊り掛け型ソケット装置１００は、送風ユニット６を取り付けることによってその内部空間（即ち気流通路）を効果的に利用し、送風ユニット６と気体変性ユニット８を組み合わせて使用することによって、ユーザー周囲の環境を変更し、吊り掛け型ソケット装置１００の追加価値を向上させる。
【００５０】
［実施例５］
図１５を参照し、これは本発明の実施例５であり、本実施例は前記実施例４に類似しているため、同じ点は説明を省略するが、本実施例と前記実施例４との主な相違点は以下の通りである。
【００５１】
本実施例の吊り掛け型ソケット装置１００には、気体変性ユニット８が更に冷却チップ８２を含み、前記スイッチユニット３２は、交流直流コンバーター９を介して前記ソケットユニット１１に電気的に接続されるとともに、送風ユニット６を介して気体変性ユニット８（即ち冷却チップ８２）に電気的に接続され、このようにして、前記スイッチユニット３２により前記送風ユニット６と気体変性ユニット８を同期にオンにする又は同期にオフにすることができる。
【００５２】
その中で、前記冷却チップ８２は、気流通路に設置されるとともに前記送風ユニット６と気流出口（図示せず）との間に位置し（例えば、吊り掛け部２に設置され）、これによって、前記送風ユニット６によって気流通路に引き込まれる気体Ａ１の温度を低減し、気流出口から吹き出される気体Ａ２が比較的低い温度を有するようにすることができる。
【００５３】
更に詳細には、本発明に記述されない他の実施例において、前記吊り掛け型ソケット装置１００は、ネットフィルター８１を省略してもよく、前記気流入口は、第３のハウジング３１に形成される複数のスルーホールであり、前記送風ユニット６は、前記複数のスルーホールの内側に設置される。また、前記吊り掛け型ソケット装置１００は、前記気流ガイド羽根７を省略してもよい。
【００５４】
［実施例６］
図１６を参照し、これは本発明の実施例６であり、本実施例は前記実施例４に類似しているため、同じ点は説明を省略するが、本実施例と前記実施例４との主な相違点は以下の通りである。
【００５５】
本実施例の吊り掛け型ソケット装置１００には、気体変性ユニット８が更に芳香ユニット８３を含み、前記スイッチユニット３２は、（交流直流コンバーター９を介して）前記ソケットユニット１１に電気的に接続されるとともに、（送風ユニット６を介して）気体変性ユニット８（即ち芳香ユニット８３）に電気的に接続され、このようにして、前記スイッチユニット３２により前記送風ユニット６と気体変性ユニット８を同期にオンにする又は同期にオフにすることができる。即ち、加熱エレメントによって芳香ユニット８３内のエッセンシャルオイルを加熱して揮発させるように、前記芳香ユニット８３は加熱エレメント（図示せず）を内包してもよい。
【００５６】
その中で、前記芳香ユニット８３を気流出口（図示せず）に設置することによって、前記芳香ユニット８３は、前記送風ユニット６によって気流通路に引き込まれる気体Ａ１にエッセンシャルオイル気体を加え、気流出口から吹き出される気体Ａ２をより芳しくすることができる。即ち、本実施例の芳香ユニット８３は、送風ユニット６に組み合わせて扱われるが、芳香ユニット８３はその自身が送風エレメントを含まない。また、前記芳香ユニット８３は、設計者のニーズに応じてその具体的な構造を調整・変更してもよいが、本実施例には、前記芳香ユニット８３の具体的な構造が制限されない。
【００５７】
また、本発明に記述されない他の実施例において、前記吊り掛け型ソケット装置１００の気体変性ユニット８は、前記エアろ過エレメント（例えば、ネットフィルター８１、これに限定しない）、冷却チップ８２、及び芳香ユニット８３の少なくとも一つを含んでもよい。
【００５８】
［本発明の実施例の技術的効果］
総じて言えば、本発明の実施例１乃至３に開示されている吊り掛け型ソケット装置は、板部材に吊り掛ける仕方によって、吊り掛け部の第２のソケットユニット及び重り部的第１のソケットユニットで、板部材の上方と板部材の下方ともにソケットを使用する必要がある場合を同時に満たすことができる。
【００５９】
また、前記吊り掛け型ソケット装置は、そのトップが前記板部材に当接するための位置制限構造を前記Ｕ字状の吊り掛け口内に設置することによって、吊り掛け型ソケット装置をしっかりと様々な厚さの板部材に吊り掛けることができる。
【００６０】
また、前記吊り掛け型ソケット装置の延伸部が可動的に重り部に接続できることによって、吊り掛け型ソケット装置を異なる環境に適用し、又はユーザーの異なるニーズに応えることができる。
【００６１】
本発明の実施例４乃至６に開示されている吊り掛け型ソケット装置は、送風ユニットを取り付けることによって前記第２のハウジングと第３のハウジングの内部空間（即ち気流通路）を効果的に利用し、これによって吊り掛け型ソケット装置の追加価値を向上させる。また、前記吊り掛け型ソケット装置は、送風ユニットと気体変性ユニットを組み合わせて使用することによって、ユーザー周囲の環境を変更し、前記吊り掛け型ソケット装置の追加価値をさらに向上させることができる。
【００６２】
また、前記吊り掛け型ソケット装置は、更に気流出口に気流ガイド羽根を取り付けてもよく、このようにして、吊り掛け型ソケット装置を異なる位置に設置する場合（即ち、吊り掛け型ソケット装置の適用範囲が広い）、前記吊り掛け型ソケット装置の気流出口から吹き出される気体を効果的にユーザーへ吹かせることができる。
【００６３】
上述したのは本発明の好ましい実施可能な実施例に過ぎず、本発明の保護範囲を限定するためのものではなく、本発明の特許請求の範囲に基づき為された均等の変形と変更は、全て本発明の請求項の保護範囲に属するものとする。
【符号の説明】
【００６４】
１００    吊り掛け型ソケット装置
１        重り部
１１      第１のソケットユニット（例えば、ソケットユニット）
１１１    交流電源ソケット
１２      第１のハウジング
１２１    欠け口
１２２    収容溝
１３      スイッチユニット
２        吊り掛け部
２１      第２のソケットユニット
２１１    直流電源ソケット
２２      第２のハウジング
２２１    気流出口
２３      スイッチユニット
３        延伸部
３１      第３のハウジング
３１１    気流入口
３２      スイッチユニット
４        電源線
５        位置制限構造
５１      トップ当接部材
５２      弾力部材
６        送風ユニット
７        気流ガイド羽根
８        気体変性ユニット
８１      ネットフィルター（即ちエアろ過エレメント）
８２      冷却チップ
８３      芳香ユニット
９        交流直流コンバーター
１０      切り替えスイッチ
Ｄ        横方向距離
Ｗ、Ｗ'、Ｗ''    幅
Ｈ        縦方向距離
Ｏ        Ｕ字状の吊り掛け口
Ｌ        長さ方向
２００    板部材
３００    給電ソケット（例えば、一般用ソケット）
Ａ１、Ａ２    気体
【図１】
2018073831.tif 000003
【図２】
2018073831.tif 000004
【図３】
2018073831.tif 000005
【図４】
2018073831.tif 000006
【図５】
2018073831.tif 000007
【図６】
2018073831.tif 000008
【図７】
2018073831.tif 000009
【図８】
2018073831.tif 000010
【図９】
2018073831.tif 000011
【図１０】
2018073831.tif 000012
【図１１】
2018073831.tif 000013
【図１２】
2018073831.tif 000014
【図１３】
2018073831.tif 000015
【図１４Ａ】
2018073831.tif 000016
【図１４Ｂ】
2018073831.tif 000017
【図１５】
2018073831.tif 000018
【図１６】
2018073831.tif 000019